【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
缶軸を中心とする有底筒状の缶本体の上端部に、キャップが取り付けられる円筒状のキャップ取付部が形成された金属製のボトル缶であって、
上記キャップ取付部は、上端側に雄ネジ部を備えるとともに、下端側には下方に向かうに従い外周側に膨らんだ後に縮径して上記キャップの下端の開放端部が巻き締められる膨出部を備え、
上記膨出部は、上記缶軸に沿った断面が該缶軸回りの全周に亙って同一で、上記雄ネジ部と上記缶軸方向に分けられており、
上記膨出部は、上記缶軸に沿った断面において直線状に下方に向かうに従い外周側に膨らむ拡径部を上端側に備えるとともに、下端側には上記缶軸に沿った断面において直線状に下方に向かうに従い縮径する縮径部を備え、
上記拡径部の上記缶軸に対する傾斜角は３°〜３０°とされ、上記縮径部の上記缶軸に対する傾斜角が４０°〜５０°とされていることを特徴とするボトル缶。
【請求項２】
上記拡径部の上記缶軸に対する傾斜角が５°〜１５°とされていることを特徴とする請求項１に記載のボトル缶。
【請求項３】
上記膨出部における上記拡径部と上記縮径部との境界における該膨出部の上記缶軸に対する径方向の厚さが、０．１６５ｍｍ〜０．２２０ｍｍの範囲とされていることを特徴とする請求項１または請求項２に記載のボトル缶。
【手続補正２】
【補正対象書類名】明細書
【補正対象項目名】０００９
【補正方法】変更
【補正の内容】
【０００９】
上記課題を解決して、このような目的を達成するために、本発明は、缶軸を中心とする有底筒状の缶本体の上端部に、キャップが取り付けられる円筒状のキャップ取付部が形成された金属製のボトル缶であって、上記キャップ取付部は、上端側に雄ネジ部を備えるとともに、下端側には下方に向かうに従い外周側に膨らんだ後に縮径して上記キャップの下端の開放端部が巻き締められる膨出部を備え、上記膨出部は、上記缶軸に沿った断面が該缶軸回りの全周に亙って同一で、上記雄ネジ部と上記缶軸方向に分けられており、上記膨出部は、上記缶軸に沿った断面において直線状に下方に向かうに従い外周側に膨らむ拡径部を上端側に備えるとともに、下端側には上記缶軸に沿った断面において直線状に下方に向かうに従い縮径する縮径部を備え、上記拡径部の上記缶軸に対する傾斜角は３°〜３０°とされ、上記縮径部の上記缶軸に対する傾斜角が４０°〜５０°とされていることを特徴とする。
【手続補正３】
【補正対象書類名】明細書
【補正対象項目名】００１２
【補正方法】変更
【補正の内容】
【００１２】
また、本発明では、上記膨出部は、上記缶軸に沿った断面において直線状に下方に向かうに従い外周側に膨らむ拡径部を上端側に備えている。このような角度範囲であれば、膨出部の座屈強度が一層向上する。なお、この拡径部の缶軸Ｃに対する傾斜角は５°〜１５°であることがより好ましい。
【手続補正４】
【補正対象書類名】明細書
【補正対象項目名】００１３
【補正方法】変更
【補正の内容】
【００１３】
さらに、本発明では、上記膨出部の下端側に、缶軸に沿った断面において直線状に下方に向かうに従い縮径する縮径部を備えており、この縮径部の缶軸に対する傾斜角は４０°〜５０°とされている。このような角度範囲であれば、キャップの開放端部を裾巻きするのに適している。
【手続補正５】
【補正対象書類名】明細書
【補正対象項目名】００１５
【補正方法】変更
【補正の内容】
【００１５】
【図１】本発明の実施形態を説明する上での第１の参考例を示す側面図である。
【図２】図１に示す参考例のキャップ取付部の断面図である。
【図３】本発明の第２の参考例のキャップ取付部を示す側面図である。
【図４】図３に示す参考例のキャップ取付部の断面図である。
【図５】本発明の第３の参考例を示す一部破断側面図である。
【図６】本発明の第４の参考例のキャップ取付部を示す側面図である。
【手続補正６】
【補正対象書類名】明細書
【補正対象項目名】００１６
【補正方法】変更
【補正の内容】
【００１６】
図１および図２は、本発明の一実施形態を説明する上での第１の参考例を示すものである。本参考例のボトル缶において、その缶本体１は、底部２と、この底部２と一体に形成されて底部２の外周縁から上端側（図１および図２において上側）に延びる外周部３とを備えた缶軸Ｃを中心とする概略多段の有底円筒状をなしている。底部２には、缶軸Ｃ方向の内側（缶本体１の上端側）に凹む断面略円弧状のドーム部２ａが中央に形成されるとともに、このドーム部２ａの外周には缶軸Ｃ方向の外側（缶本体１の下端側）に突出する環状凸部２ｂが缶軸Ｃ回りの周方向に連続して形成されている(図５参照。）。
【手続補正７】
【補正対象書類名】明細書
【補正対象項目名】００２６
【補正方法】変更
【補正の内容】
【００２６】
また、この第１の参考例では、上記膨出部１０は、缶軸Ｃに沿った断面において凸曲線を描きつつ下方に向かうに従い外周側に膨らむ拡径部１０ａを上端側に備えるとともに、下端側にはこの拡径部１０ａの断面がなす凸曲線に滑らかに連なる断面凸曲線状をなして下方に向かうに従い縮径する縮径部１０ｂを備えている。縮径部１０ｂの断面がなす凸曲線は拡径部１０ａがなす凸曲線よりも曲率半径が小さく、この縮径部１０ｂに上記キャップの開放端部が巻き締められる。そして、このような第１の参考例に対して、本発明の一実施形態では、拡径部１０ａは、缶軸Ｃに沿った断面において直線状に下方に向かうに従い外周側に膨らんでおり、その缶軸Ｃに対する傾斜角は３°〜３０°とされていて、５°〜１５°がより好ましい。このような角度範囲であれば、膨出部１０の座屈強度が一層向上する。また、縮径部１０ｂも、缶軸Ｃに沿った断面において直線状に下方に向かうに従い縮径しており、その缶軸Ｃに対する傾斜角は４０°〜５０°とされている。このような角度範囲であれば、キャップの開放端部を裾巻きするのに適している。なお、この膨出部１０における拡径部１０ａと縮径部１０ｂとの境界、すなわち膨出部１０の最大外径の位置における該膨出部１０の缶軸Ｃに対する径方向の厚さｔは、上述のような元板厚が薄肉化された金属板から成形されるボトル缶においては０．１６５ｍｍ〜０．２２０ｍｍの範囲とされる。
【手続補正８】
【補正対象書類名】明細書
【補正対象項目名】００３１
【補正方法】変更
【補正の内容】
【００３１】
次に、図３および図４は、本発明の実施形態に対する第２の参考例を示すものであり、図１および図２に示した第１の参考例と供給する部分には同一の符号を配して説明を省略する。この第２の参考例においては、キャップ取付部８の雄ネジ部９と膨出部１０との間に、キャップ取付部８の内周側に凹む凹部１１が缶軸Ｃ回りの全周に亙って形成されていることを特徴とする。
【手続補正９】
【補正対象書類名】明細書
【補正対象項目名】００３２
【補正方法】変更
【補正の内容】
【００３２】
本参考例における凹部１１は、缶軸Ｃ方向において雄ネジ部９の終端から僅かに下端側に間隔をあけた位置から缶軸Ｃに沿った断面において凹曲線を描きつつ内周側に凹み始め、最も凹んだ位置を経た後に外周側に切れ上がって膨出部１０の拡径部１０ａに交差している。この凹部１１が缶軸Ｃに沿った断面においてなす凹曲線の曲率半径は、本参考例では拡径部１０ａの断面がなす凸曲線の曲率半径よりも大きくされている。
【手続補正１０】
【補正対象書類名】明細書
【補正対象項目名】００３３
【補正方法】変更
【補正の内容】
【００３３】
このように構成された第２の参考例では、この凹部１１によって雄ネジ部９と膨出部１０とをさらに確実に缶軸Ｃ方向に分けることができ、雄ネジ部９が膨出部１０に到達して食い込むのを防ぐことができる。また、こうして内周側に凹む凹部１１が全周に亙って形成されることにより、キャップ取付部８の缶軸Ｃ方向への荷重に対する座屈強度を一層向上させることができる。
【手続補正１１】
【補正対象書類名】明細書
【補正対象項目名】００３４
【補正方法】変更
【補正の内容】
【００３４】
さらに、図５および図６は、それぞれ本発明の実施形態に対する第３、第４の参考例を示すものであって、図１から図４に示した第１、第２の参考例と供給する部分にはやはり同一の符号を配して説明を省略する。これら第３、第４の参考例においては、上記第１、第２の参考例における雄ネジ部９の有効ネジ巻き数が２．２巻きであったのに対し、雄ネジ部９の有効ネジ巻き数が１．０巻き〜１．７巻きの範囲（例えば１．５巻き）とされていることを特徴とする。なお、図５に示す第３の参考例では凹部１１がなく、図６に示す第４の参考例では雄ネジ部９と膨出部１０との間に凹部１１が形成されている。
【手続補正１２】
【補正対象書類名】明細書
【補正対象項目名】００３５
【補正方法】変更
【補正の内容】
【００３５】
このような第３、第４の参考例では、有効ネジ巻き数が少ないので、雄ネジ部９の缶軸Ｃ方向の長さを短くすることができる。従って、キャップ取付部８や、このキャップ取付部８に取り付けられるキャップの缶軸Ｃ方向の長さも短くすることができるので、缶本体１の薄肉化と併せて、雄ネジ部９と膨出部１０とを缶軸Ｃ方向に分けても、確実にボトル缶やキャップ付きボトル缶の軽量化を促すことが可能となる。
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】